(57)【要約】【課題】比較的少ない個人情報を記載する場合に最適に用いることができ、しかも新たな経済負担を必要とせず、誤送付を確実に防止することができ、かつ資源の再利用を図ることができる封筒用シートを提供する。【解決手段】一定幅の一枚のシートを折り畳み、接着することによって封筒２を形成するものである。一対の封筒本体片３と、この一対の封筒本体片３の一端部に連設された封緘片４と、この封緘片４の一端部に連設された宛名情報片５とを備える。一対の封筒本体片３の内面には、名宛人特有の情報である個人情報が記載される個人情報欄７が設けられる。宛名情報片５における個人情報欄７が設けられた面と同一側の面には、宛名や宛先等の宛名情報が記載される宛名情報欄６が設けられる。一対の封筒本体片３と封緘片４とを巻き折りして、宛名情報片５を封緘片４側に折り返しかつこの封緘片４に接着して宛名情報欄６が封筒２表面に表示されるように構成される。【選択図】　　図１
2004130608.tif 000002
【特許請求の範囲】
【請求項１】
一定幅の一枚のシートからなり、長さ方向に折り畳み、所定箇所を接着することによって封筒が形成される封筒用シートであって、
折目を介して連設された一対の封筒本体片と、この一対の封筒本体片の一端部に折目を介して連設された封緘片と、この封緘片における上記一対の封筒本体片側と反対側の一端部に折目を介して連設された宛名情報片とを備え、
上記一対の封筒本体片は、折り畳み状態における内面に名宛人特有の情報である個人情報が記載される個人情報欄が設けられる一方、
上記宛名情報片は、上記一対の封筒本体片における個人情報欄が設けられた面と同一側の面に、宛名や宛先等の宛名情報が記載される宛名情報欄が設けられ、上記一対の封筒本体片を二つ折り状に折り曲げかつ互いに重なり合う面の左右両端縁部を接着して封筒が構成される一方、上記封緘片を上記封筒本体片に向けて折り曲げかつ互いに重なり合う面を接着して上記封筒の開口部が封緘されると共に、上記宛名情報片を封緘片側に折り返しかつこの封緘片に接着して宛名情報欄が封筒表面に表示されるように構成されていることを特徴とする封筒用シート。
【請求項２】
上記請求項１記載の封筒用シートにおいて、上記一対の封筒本体片が二つ折り状に折り曲げられた状態で互いに重なり合う面の左右両端縁部には、封筒形成用接着部が設けられる一方、上記封緘片を折り返した状態で上記封筒本体片と互いに重なり合う面に上記封筒の開口部を封緘するための封緘用接着部が設けられ、上記宛名情報片を折り返した状態で上記封緘片と互いに重なり合う面に宛名情報保持用接着部が設けられ、上記各接着部には、予め接着剤が塗布されてあることを特徴とする封筒用シート。
【請求項３】
上記請求項２記載の封筒用シートにおいて、上記封筒形成用接着部、封緘用接着部及び宛名情報保持用接着部に塗布されている接着剤が、全て上記各接着部同士が互いに重ね合わされた状態で加圧することによりはじめて接着することができる感圧接着剤であることを特徴とする封筒用シート。
【請求項４】
上記請求項１ないし請求項３のいずれか１項に記載の封筒用シートにおいて、上記一対の封筒本体片における上記封筒形成用接着部の内側には、該封筒形成用接着部を切り落とすためのミシン目が設けられていることを特徴とする封筒用シート。
【請求項５】
上記請求項１ないし請求項４のいずれか１項に記載の封筒用シートにおいて、上記封筒本体片と上記封緘片との間の折目は、ミシン目により構成されていることを特徴とする封筒用シート。
【請求項６】
一定幅の一枚のシートからなり、長さ方向に折り畳み、所定箇所を接着することによって封筒が形成される封筒用シートであって、
折目を介して連設された一対の封筒本体片と、この一対の封筒本体片の一端部に折目を介して連設された封緘片と、この封緘片における上記一対の封筒本体片側と反対側の一端部に折目を介して連設された宛名情報片と、上記一対の封筒本体片における上記封緘片側と反対側の一端部に折目を介して連設された一片ないし複数片の個人情報シート片とを備え、
上記一対の封筒本体片は、折り畳み状態における内面に名宛人特有の情報である個人情報が記載される個人情報欄が設けられる一方、
上記宛名情報片は、上記一対の封筒本体片における個人情報欄が設けられた面と同一側の面に、宛名や宛先等の宛名情報が記載される宛名情報欄が設けられ、上記個人情報シート片は、一対の封筒本体片における個人情報欄が設けられた面と少なくとも同一側の面に、個人情報が記載される拡大個人情報欄が設けられ、
上記一片ないし複数片の個人情報シート片を上記一対の封筒本体片の間に折り畳んだ際の互いに重なり合う面の左右両端縁部を接着して封筒が構成される一方、上記封緘片を上記封筒本体片に向けて折り曲げかつ互いに重なり合う面を接着して上記封筒の開口部が封緘されると共に、上記宛名情報片を封緘片側に折り返しかつこの封緘片に接着して宛名情報欄が封筒表面に表示されるように構成されていることを特徴とする封筒用シート。
【請求項７】
請求項６記載の封筒用シートにおいて、上記折り畳み状態で一対の封筒本体片のうち個人情報シート片が連設された一方の封筒本体片からの吸引力を上記個人情報シート片に伝達するための一個ないし複数個の吸気小孔が設けられていることを特徴とする封筒用シート。
【発明の詳細な説明】
【０００１】
【発明の属する技術分野】
この発明は、一定幅の一枚のシートを折り畳み、所定箇所を接着することにより封筒が形成される封筒用シートであって、コンピューターによって入力管理されている顧客等の個人情報、例えば銀行口座の出納明細や電話料金の口座振替金額等を、該顧客等に通知などする場合に用いられる封筒を形成する封筒用シートに関する。
【０００２】
【従来の技術】
例えば銀行や電話会社等においては、コンピューターによって入力管理されている顧客等の個人情報、例えば出納明細や口座振替金額等を封筒により送付して、該顧客等に出納状況や請求金額等を通知することが一般的に行われている。
【０００３】
ここで、上記個人情報の送付にあたって、例えば封筒を形成する一対の封筒本体片及び封緘片と出納明細や請求明細等の個人情報が印刷された情報シート片とが一体に形成された封筒用シートが用いられることがある（例えば特許文献１）。この封筒用シートは、所定方向に折り畳み、かつ所定箇所を接着して内封物一体型の封筒を形成し、この封筒内に別個独立の内封物を封入するものとなされている。
【０００４】
この内封物一体型の封筒に用いられる封筒用シートは、宛名や宛先等の宛名情報が記載され折目を介して連設された一対の封筒本体片と、この一対の封筒本体片の一端部に折目を介して連設された封緘片と、上記封筒本体片の他端部に折目を介して連設された情報シート片とを有し、折り畳み状態において隠蔽される一対の封筒本体片の内面、及び内側に折り込まれる情報シート片の両面に個人情報が記載されるものとなされている。
【０００５】
【特許文献１】
特開平１１−１４７５４１号公報
【０００６】
【発明が解決しようとする課題】
しかしながら、この内封物一体型の封筒に用いられる封筒用シートは、その情報シート片に記載される個人情報が比較的少ない場合には、余分なスペースが多く不経済であり、したがって比較的少量の個人情報を記載する場合には不適である。
【０００７】
ここで、比較的少量の個人情報を記載する場合には、上記情報シート片を省略し上記一対の封筒本体片における隠蔽された内面にのみ個人情報を記載することによって余分なスペースを少なく或いは無くして最適な封筒用シートに変更することも考えられる。
【０００８】
しかしながら、この場合には誤送付を確実に防止することができないという新たな問題が発生する。すなわち、上記情報シート片を省略した場合には、宛名や宛先等の宛名情報と個人情報とが異なる面に記載されるため、少なくとも２工程で各情報を印字等しなければならず、各工程間において不整合等生じた場合には、宛名情報と個人情報との齟齬により所定人の個人情報が他人に送付され、誤送付を確実に防止することができない虞がある。
【０００９】
この点、両面に、宛名情報と個人情報とを一挙に印字等して、宛名情報と個人情報との齟齬をなくして誤送付を確実に防止することも考えられるが、この両面印字による場合には、シートに両面印字を施すことができるプリンター等が必要となり、その設備投資が高額となることが懸念される。
【００１０】
また、従来、封筒表面に窓孔部を穿ち、そこに透明フィルムを貼着して透光窓部を設け、この透光窓部を通じて封筒内に封入された情報文書に印字された宛名情報を読み取り得るように形成され、封筒表面に表示された宛名情報と情報文書に記載された個人情報との齟齬を防止するようにしたものもある。
【００１１】
しかしながら、上記透光窓部が設けられた封筒を使用する場合には、上記のように誤送付を確実に防止することができる点で有利であるものの、封筒と情報文書とを別体に形成して、封筒に情報文書を封入しなければならず、その作業が煩雑になるという難点がある。しかも、上記透光窓部付き封筒は、透明フィルムが貼着されているために使用後透明フィルムをはがさないと再生紙として再利用することができない欠陥があった。
【００１２】
本発明は、上記従来の技術に鑑みてなされたものであり、比較的少ない個人情報を記載する場合にも最適に用いることができ、しかも新たな経済負担を必要とせず、誤送付を確実に防止することができ、かつ資源の再利用を図ることができる封筒用シートを提供することを目的とする。
【００１３】
【課題を解決するための手段】
上記目的を達成するため、この発明に係る封筒用シートは、一定幅の一枚のシートからなり、長さ方向に折り畳み、所定箇所を接着することによって封筒が形成される封筒用シートであって、折目を介して連設された一対の封筒本体片と、この一対の封筒本体片の一端部に折目を介して連設された封緘片と、この封緘片における上記一対の封筒本体片側と反対側の一端部に折目を介して連設された宛名情報片とを備え、上記一対の封筒本体片は、折り畳み状態における内面に名宛人特有の情報である個人情報が記載される個人情報欄が設けられる一方、上記宛名情報片は、上記一対の封筒本体片における個人情報欄が設けられた面と同一側の面に、宛名や宛先等の宛名情報が記載される宛名情報欄が設けられ、上記一対の封筒本体片を二つ折り状に折り曲げかつ互いに重なり合う面の左右両端縁部を接着して封筒が構成される一方、上記封緘片を上記封筒本体片に向けて折り曲げかつ互いに重なり合う面を接着して上記封筒の開口部が封緘されると共に、上記宛名情報片を封緘片側に折り返しかつこの封緘片に接着して宛名情報欄が封筒表面に表示されるように構成されていることを特徴とするものである。
【００１４】
この発明によれば、一対の封筒本体片の折り畳み状態における内面に個人情報欄が設けられるので、封筒を構成する封筒本体片を有効に活用して個人情報を記載することができ、比較的少ない量の個人情報を記載する場合に最適に用いることができる。
【００１５】
また、上記宛名情報片は、上記一対の封筒本体片における個人情報欄が設けられた面と同一側の面に、宛名や宛先等の宛名情報が記載される宛名情報欄が設けられているので、個人情報と宛名情報とをシートの同一面に印字等ができる。このため、比較的安価な片面印字用のプリンターで各情報を記載することができると共に、一連の工程により印字等が可能で個人情報と宛名情報との齟齬を効果的に防止することができる。さらに、誤送付を防止するために、従来の封筒に採用されていた封筒表面に窓孔を穿ってフィルムを貼る必要がないので、この封筒用シートにより形成された封筒を開封した後は、リサイクルが容易となり、資源の有効活用を図ることができる。
【００１６】
ここで、この種の封筒用シートにおいては一対の封筒本体片と封緘片とが巻き折られるため、個人情報と宛名情報とをシートの同一面に印字等した場合には、宛名情報が隠蔽されて外部から読み取ることができないという事態が懸念されるが、この発明においては、封緘片における上記一対の封筒本体片側と反対側の一端部に折目を介して宛名情報片が連設され、この宛名情報片を巻き折り方向と反対側に折り返して封緘片に接着することにより宛名情報欄を表示するように構成されている。したがって、宛名情報と個人情報とを同一面に印字等した場合であっても、宛名情報を明確に読み取ることができ、宛名情報と個人情報との不一致による誤送付を確実に防止することができる。
【００１７】
この発明において、上記一対の封筒本体片が二つ折り状に折り曲げられた状態で互いに重なり合う面の左右両端縁部には、封筒形成用接着部が設けられる一方、上記封緘片を折り返した状態で上記封筒本体片と互いに重なり合う面に上記封筒の開口部を封緘するための封緘用接着部が設けられ、上記宛名情報片を折り返した状態で上記封緘片と互いに重なり合う面に宛名情報保持用接着部が設けられ、上記封筒形成用接着部、封緘用接着部及び宛名情報保持用接着部には、予め接着剤が塗布されてあるのが好ましい。このように構成すれば、簡易且つ迅速にこの封筒用シートを用いて封筒を形成することができる。
【００１８】
上記接着剤は、特に限定するものではなく、各接着部において異なる種類のものを用いてもよいが、上記封筒形成用接着部、封緘用接着部及び宛名情報保持用接着部に塗布されている接着剤が、全て上記各接着部同士が互いに重ね合わされた状態で加圧することによりはじめて接着することができる感圧接着剤であることが好ましい。このように構成すれば、例えばこの封筒用シートにより形成される封筒にこの封筒用シートとは別の内封物を封入しない場合には、加圧するという一工程で封筒を形成して封緘することができ、作業効率が向上する。しかも、各接着部に塗布される接着剤が各接着部同士が重ね合わされた状態で加圧されてはじめて接着することができる感圧接着剤であるので、例えば封筒内に内封物を封入する場合には、封緘片を封筒本体片に重ね合わせない状態で加圧することにより、封緘用接着部に支障を来すことなく封緘片側に開口した封筒を形成することができ、この開口から別個独立の内封物を封筒内に挿入することができる。また、各接着部に塗布される接着剤が同一のものであるので、一連の塗布作業で簡易にこの封筒用シートを作製することができる。
【００１９】
また、この発明において、上記一対の封筒本体片における上記封筒形成用接着部の内側には、該封筒形成用接着部を切り落とすためのミシン目が設けられたり、上記封筒本体片と上記封緘片との間の折目がミシン目により構成されていたりするのが好ましい。このように構成すれば、この封筒用シートにより封筒を形成した後、ミシン目に沿って封筒形成用接着部を切り落とすことができ、或いは封緘片と封筒本体片を分離することができ、封筒本体片に記載されている個人情報を毀損することなく確実に開封することができると共に、簡易に開封することができる。
【００２０】
一方、個人情報の量が増大して、上記個人情報欄に記載しきれなくなった場合には、順次個人情報シート片を連設して、この個人情報シート片に設けられた拡大個人情報欄に印字等すればよい。
【００２１】
すなわち、請求項６に記載の封筒用シートは、一定幅の一枚のシートからなり、長さ方向に折り畳み、所定箇所を接着することによって封筒が形成される封筒用シートであって、折目を介して連設された一対の封筒本体片と、この一対の封筒本体片の一端部に折目を介して連設された封緘片と、この封緘片における上記一対の封筒本体片側と反対側の一端部に折目を介して連設された宛名情報片と、上記一対の封筒本体片における上記封緘片側と反対側の一端部に折目を介して連設された一片ないし複数片の個人情報シート片とを備え、上記一対の封筒本体片は、折り畳み状態における内面に名宛人特有の情報である個人情報が記載される個人情報欄が設けられる一方、上記宛名情報片は、上記一対の封筒本体片における個人情報欄が設けられた面と同一側の面に、宛名や宛先等の宛名情報が記載される宛名情報欄が設けられ、上記個人情報シート片は、一対の封筒本体片における個人情報欄が設けられた面と少なくとも同一側の面に、個人情報が記載される拡大個人情報欄が設けられ、上記一片ないし複数片の個人情報シート片を上記一対の封筒本体片の間に折り畳んだ際の互いに重なり合う面の左右両端縁部を接着して封筒が構成される一方、上記封緘片を上記封筒本体片に向けて折り曲げかつ互いに重なり合う面を接着して上記封筒の開口部が封緘されると共に、上記宛名情報片を封緘片側に折り返しかつこの封緘片に接着して宛名情報欄が封筒表面に表示されるように構成されていることを特徴とするものである。
【００２２】
この請求項６に係る発明において、上記折り畳み状態で一対の封筒本体片のうち個人情報シート片が連設された一方の封筒本体片からの吸引力を上記個人情報シート片に伝達するための一個ないし複数個の吸気小孔が設けられるのが好ましい。このように構成すれば、別個独立の内封物を封入する場合に封筒の開口を、個人情報シート片をこの個人情報シート片が連設された一方の封筒本体片側に偏位させた状態で拡開することができ、別個独立の内封物を容易に封入することができる。すなわち、封筒内部に独立の内封物を封入する場合には、通常、封筒の両外側面を吸引して封筒開口を拡開させて内封物を挿入するものとなされているが、この封筒用シートにより形成された封筒は封筒本体片と一体に設けられた情報シート片が内側に折り込まれた状態で形成されているので、この情報シート片が邪魔になって独立の内封物を挿入し難くなる虞がある。したがって、封筒の開口を拡開させるための吸引力を情報シート片に伝達させるため、この封筒用シートの適所に吸気小孔を設けておけば、この吸気小孔を通して吸引力が情報シート片に伝達され、情報シート片が一方の封筒本体片側に偏位して、独立の内封物を容易に封入することができる。
【００２３】
【発明の実施の形態】
この発明に係る封筒用シートを図面に示された一実施形態に基づいて説明する。
【００２４】
図１は、本実施形態に係る封筒用シートを示す平面図であり、図２は同封筒用シートの背面図である。ここで、この封筒用シート１の表面とは、後述する宛名情報欄６や個人情報欄７が設けられた面をいうものとする。
【００２５】
この封筒用シート１は、コート紙、上質紙等の紙等からなる一定幅の帯状長尺シートからなり、この一枚の帯状長尺シートが長手方向に折り畳まれ、所定箇所が接着されることにより、封筒２が形成される。この封筒用シート１は、その幅が定形郵便の長辺長さに設定され、その長手方向（図１及び図２では上下方向）に沿って所定の間隔でシートの幅方向（図１及び図２では左右方向）に延びる複数本（本実施形態では３本）の折目２０〜２２が略平行に設けられ、折り畳み状態で定形郵便大の長方形状の封筒２が形成されるものとなされている。
【００２６】
図３は、本実施形態に係る封筒用シート１により形成された内封物一体型の封筒を示す平面図であり、図４は、図３におけるＩＶ−ＩＶ線断面図である。図５は、図３におけるＶ−Ｖ線断面図である。
【００２７】
なお、本実施形態では、封筒用シート１は、定形郵便の長辺長さをその幅とした長尺シートが用いられているが、定形郵便の短辺長さをその幅とした長尺シートを用いるものであってもよい。また、この封筒用シート１により形成される封筒２は、定形郵便大、すなわち、長辺１４〜２３．５ｃｍ（本実施形態では２３．５ｃｍ）で、短辺９〜１２ｃｍ（本実施形態では１２ｃｍ）に設定されているが、封筒２の大きさはこれに限るものではない。ただし、汎用性や送料等の使用勝手の観点から上記のように定形郵便大の封筒２となるように構成されるのが好ましい。
【００２８】
そして、この封筒用シート１は、折目２０を介して連設された一対の封筒本体片３と、この一対の封筒本体片３の一端部に折目２１を介して連設された封緘片４と、この封緘片４における上記一対の封筒本体片３側と反対側の一端部に折目２２を介して連設された宛名情報片５とを有し、少なくともこれらの一対の封筒本体片３、封緘片４、宛名情報片５が一連一体に設けられている。
【００２９】
封筒本体片３と封緘片４とは、各折目２０，２１を同一方向に折り曲げ（例えば山折りまたは谷折り）、すなわち巻き折りすることにより、封筒２が形成される。
【００３０】
この一対の封筒本体片３は、２つ折りに折り畳まれることにより封緘片４側に開口する封筒２を形成するものであり、それぞれ封筒用シート１の長手方向に対応する長さが定形郵便の短辺長さに設定され、二つ折り状態（図３及び図４参照）において定形郵便大となるようになされている。
【００３１】
この一対の封筒本体片３の表面、すなわち上記封筒２として構成された場合に隠蔽される封筒２内面の所定箇所には、名宛人特有の情報である個人情報を含む各種情報が記載される個人情報欄７が設けられている。この個人情報欄７は、各封筒本体片ごとに設けられるものであってもよいし、一対の封筒本体片に跨って設けられるものであってもよい。この個人情報欄７に記載される個人情報は、例えば銀行等の出納明細や電話会社、クレジット会社等の口座振替金額等がある。
なお、個人情報には、自然人のみならず法人等全ての主体に関する情報をいう。
なお、個人情報欄７は、個人情報を記載するための空白部として設けられるものであってもよい。
【００３２】
一方、一対の封筒本体片３の裏面、すなわち上記封筒２として構成された場合の封筒２の外側面に相当する面は、印刷等がなされていない、いわゆる無地面として構成されているが、例えば広告や送り主に関する情報や多数のマスク用柄が印刷等により配置されて構成されているものであってもよい。多数のマスク用柄が配置されている場合には、上記個人情報欄７に記載された個人情報の透かし見を確実に防止することができる点で好ましい。
【００３３】
封緘片４は、図３及び図４に示すように、上記一対の封筒本体片３により形成される封筒２の開口部を封緘するためのものであり、上記一対の封筒本体片３と宛名情報片５との間に介設されている。すなわち、この封緘片４は、一対の封筒本体片３の一端部に折目２１を介して連設され、一対の封筒本体片３の個人情報欄７が設けられた表面を内側に隠蔽されるようにこの一対の封筒本体片３とともに巻き折りして、封緘片４が連設されていない封筒本体片３の上縁部に貼着されるものとなされている。この封緘片４の長さ（図１では上下方向の長さ）は、特に限定するものではないが、宛名情報片５の長さを考慮して適宜設定される。
【００３４】
宛名情報片５は、図１に示すように、宛名や宛先等の宛名情報を記載するためのものであり、したがってその長さは宛名情報を記載するのに十分な程度に設定される。この宛名情報片５は、上述のように、上記封緘片４における上記一対の封筒本体片３側と反対側の一端部（図１では封緘片４の上端部）に折目２２を介して連設され、封筒２形成時には封緘片４側に折り返してこの封緘片４に接着保持される。そして、この折り返し状態で封筒２の表面側に位置する宛名情報片５の表面、すなわち上記封筒本体片３における個人情報欄７が設けられた面と同一側の面の所定位置に、上記宛名情報が記載される宛名情報欄６が設けられ、この宛名情報欄６に個人情報に対応する宛名、宛先等が印字や記入等により記載されるものとなされている。この宛名情報欄６は、この欄自体を印刷等により設けるものであってもよいが、この欄を宛名情報を記載するための空白部として設けるものであってもよい。図１及び図３は、宛名情報片５の左半部に宛名情報欄６を空白部として設け、この宛名情報欄６に宛名情報が印字により記載された状態で示している。なお、この宛名情報欄６の右半部に広告や差出人に関する情報が印刷、印字等されるものであってもよい。
【００３５】
而して、封筒２を展開した状態である封筒用シート１は、宛名、宛先等の宛名情報欄６と個人情報欄７とが同一面、すなわち片面（図１では表面）に設けられている。そして、この宛名情報欄６と、個人情報欄７に、対応する各情報を記載する場合には、後述するように、一連の工程により印字されている。このように、一連の工程により宛名情報と個人情報が印字されれば、宛名情報と個人情報との不一致による誤送付を確実に防止することができる。
【００３６】
また、この封筒用シート１は、その表面側において、図１に示すように、その一対の封筒本体片３の左右両端縁部に予め感圧接着剤が塗布された封筒形成用接着部９が封筒用シート１の長手方向に沿って細長帯状に設けられているとともに、上記封緘片４における宛名情報片５側の端縁部に封筒用シート１の幅方向に沿って封緘用接着部１０が設けられている。
【００３７】
一方、封筒用シート１は、その裏面側において、図２に示すように、一対の封筒本体片３における遊端縁部（図２では下端縁部）、すなわち封緘片４が重ね合わされる面の縁部に予め感圧接着剤が塗布された封緘用接着部１０が長尺の封筒用シート１の幅方向に沿って設けられている。また、封筒用シート１は、その裏面側における封緘片４と宛名情報片５との部分に、宛名情報片５を折り返した状態で封緘片４に接着させるための宛名情報保持用接着部８が設けられている。具体的には、封緘片４と宛名情報片５とにより構成される領域の周縁部に沿って予め感圧接着剤が塗布された矩形環状の宛名情報保持用接着部８が設けられている。なお、この宛名情報保持用接着部８は、宛名情報片５を折り返した状態で保持することができるものであれば、その周縁部の全体に亘って設ける必要はなく、例えばワンポイントとして設けるものであってもよい。ただ、宛名情報片５を確実に折り返し状態で保持するためには、上記したように、その周縁部の全体に亘って宛名情報保持用接着部８が設けられるのが好ましい。
【００３８】
この封筒形成用接着部９、封緘用接着部１０及び宛名情報保持用接着部８の各接着部に塗布される接着剤は、上述のように感圧接着剤が用いられている。この感圧接着剤は、感圧接着剤が塗布された部分同士が重ね合わされた状態で加圧することによりはじめて接着することができるもので、その成分等を特に限定するものではなく、公知の感圧接着剤が用いられる。この感圧接着剤は、例えばスチレン、アクリル酸アルキルエステル、アクリル酸共重合体、水性エマルジョン等の混合物が用いられ、剥離して内封物が脱落しないように、永久接着されるものが好ましい。この感圧接着剤を接着するには、上述のように各接着部同士を重ね合わせ、この状態において所定圧力で加圧すればよい。この加圧する場合の圧力は、例えばコート紙ならば約５００ｋｇｆ／ｃｍ２以上、上質紙ならば約７００ｋｇｆ／ｃｍ２以上に設定するのが好ましい。ここにいう感圧接着剤には、一定の加熱状態で加圧することにより良好な接着性を奏し得るものを含む趣旨である。
【００３９】
また、この封筒用シート１は、図１に明示するように、幅方向両端縁部（図では左右両端縁部）における上記封筒形成用接着部９の内側に第１ミシン目１１が設けられ、開封時にこの第１ミシン目１１に沿って上記封筒形成用接着部９を含む両縁部を切り落とし可能に形成されている。一方、封筒本体片３と封緘片４との間の折目２１は、図１及び図２に示すように、第２ミシン目１２が設けられている。なお、図中ミシン目１２は、説明の便宜上、折目２１と略平行に設けられているが、実際は折目２１とミシン目１２は一致した状態で設けられている。また、これらのミシン目１１，１２は適宜省略することができ、このようにミシン目１１，１２を省略した場合には、例えばはさみ等の切断手段により封筒形成用接着部９が切り落とされ、あるいは封緘用接着部１０が切り離される。またこのようにはさみ等の切断手段により各接着部１０，１１を切り落とし、或いは切り離す場合には、例えば切断支持線を印刷等により表示することが好ましい。この切断支持線に従って切断することにより個人情報欄７の個人情報を毀損することなく開封することができる。さらに、ミシン目１２の位置は適宜変更することができ、折目２１から封緘片４寄り、或いは封筒本体片３ｂ寄りに設けるものであってもよい。
【００４０】
次に、本実施形態に係る封筒用シート１の製造方法及びこの封筒用シート１により封筒２を形成する方法について説明する。
【００４１】
まず、幅が定形郵便の長辺長さに設定され無地または予め下地が印刷された長尺シートにおける表面（片面）に宛名情報欄６及び個人情報７を印刷し、或いはこれらの欄６，７を空白部として設ける。そして、この長尺シートにおける上記した所定箇所に第１ミシン目１１及び第２ミシン目１２を形成するとともに、封筒用シート１の上記した所定箇所に感圧接着剤を塗布乾燥させて封筒形成用接着部９、封緘用接着部１０及び宛名情報保持用接着部８を形成して、封筒用シート１を製造する。この封筒用シート１には、予め折目が設けられていてもよいが、後述するように封筒２形成過程で折り機等によって折目を形成してもよい。
【００４２】
そして、この封筒用シート１における宛名情報欄６に宛名情報を及び個人情報欄７にその宛名情報に対応する個人情報を片面印刷機による一連の工程により印字する。また、上記宛名情報と個人情報の印字前または印字後に、必要に応じ、上記封筒用シート１における一定空白部分に例えば広告や送り主等の各種情報を印刷、印字するようにしてもよい。
【００４３】
次に、上記処理がなされた封筒用シート１を、折り機等により、その長さ方向に折り畳む。具体的には、図１において、折目２０を谷折りして一対の封筒本体片３を二つ折り状に折り畳み、図４に示すように、個人情報欄７を内側に隠蔽する。
【００４４】
そして、上記封筒用シート１と別個独立の内封物を封入しない場合には、図４に示すように、折目２１を折目２０と同一方向、すなわち谷折りして封緘片４がこの封緘片４が連設されていない封筒本体片３の縁部に重ね合わされるように折り畳む。すなわち、一対の封筒本体片３と封緘片４とを巻き折りする。続いて、折目２２を上記折目２０，２１と逆方向に折り返し（山折り）して宛名情報片５を封緘片４に重ね合わされるように折り畳む。このとき、封筒形成用接着部９、封緘用接着部１０，及び宛名情報保持用接着部８は、図４及び図５に示すように、それぞれ各接着部同士、より詳しくは各接着部の対応部分同士が重ね合わされた状態となっている。
【００４５】
次に、この折り畳まれた封筒用シート１をローラー等を用いて所定条件下で加圧、或いは加熱加圧して、これにより封筒形成用接着部９、封緘用接着部１０，及び宛名情報保持用接着部８に塗布された感圧接着剤同士が接着し、図４及び図５に示すように、この封筒形成用接着部９により折り畳み状態において重なり合う面の左右両端縁部が感圧接着剤により接着し、その左右両端縁部が封止される一方、封緘用接着部１０により封緘片４が前面に配置される封筒本体片３の端縁部に感圧接着剤により接着し、その封筒２の開口部が封緘されて封筒２を形成し、また宛名情報保持用接着部８により宛名情報片５を封緘片４に接着し、宛名情報片の宛名情報欄６を封筒の表面に表示した状態で固定して、宛名情報欄６が表面に表示された封筒２が形成される。
【００４６】
一方、上記封筒用シート１と別個独立の内封物を封入する場合には、図１において折目２０を谷折りして封筒本体片３を二つ折り状に折り畳む。このとき、封筒形成用接着部９は、その接着部同士が重なり合った状態にあるが、封緘用接着部１０及び宛名情報保持用接着部８は、各接着部同士が重なり合っていない状態にある。そして、折目２１を折り畳む前に、この折り畳み状態にある封筒用シート１を所定条件下で加圧、或いは加熱加圧すると、封筒形成用接着部９の感圧接着剤のみが接着して封緘片４側に開口する封筒２が形成される。この封筒２の開口部から例えば封入封緘機により別個独立の内封物を挿入して、封緘片４をその折目２１で折り畳み（図１で山折り）、封筒本体片に重ね合わせる一方、宛名情報片５をその折目２２で折り返し封緘片４に重ね合わせる。続いて、所定条件下でさらに加圧、或いは加熱加圧して、別個独立の内封物が封入され、かつ宛名情報欄６が表面に表示された封筒２が形成される。
【００４７】
このように、本実施形態の封筒用シート１によれば、宛名情報片５が封緘片４の一端部に連設され、宛名情報片５に設けられた宛名情報欄６が封筒２の表面に表示されるように、封緘片４に向けて折り曲げられ、この封緘片４に接着されているので、宛名情報欄６を個人情報欄７と封筒用シート１の同一面側に印刷することができる。したがって、この封筒用シート１の同一面に設けられた宛名情報欄６と個人情報欄７とに片面印字用のプリンターによって一連の工程で宛名情報と個人情報とが印字されているので、各情報の間で齟齬が生じず、このため誤送付を確実に防止することができる。
【００４８】
なお、以上に本実施形態に係る封筒用シート１について説明したが、この発明に係る封筒用シート１は、上記実施形態に限定されるものではなく、その趣旨を逸脱しない範囲で種々の変更が可能である。例えば、以下のような変更が可能である。
【００４９】
個人情報が比較的多く、本実施形態の封筒用シート１の個人情報欄７に記載しきれない場合には、例えば図６及び図７に示すように、この封筒用シート１に個人情報シート片５０を連設し、この個人情報シート片５０に設けられた拡大個人情報欄５７に記載するようにしてもよい。
【００５０】
すなわち、図６及び図７は、この発明の封筒用シートの他の実施形態を示す。
この他の実施形態に係る封筒用シート３０は、折目２０を介して連設された一対の封筒本体片３と、この一対の封筒本体片３の一端部に折目２１を介して連設された封緘片４と、この封緘片４における上記一対の封筒本体片３側と反対側の一端部に折目２２を介して連設された宛名情報片５と、上記一対の封筒本体片３における上記封緘片４側と反対側の一端部に折目７０を介して連設された一片ないし複数片の個人情報シート片５０とを備え、これらの各片が一連一体に設けられている。
【００５１】
個人情報シート片５０は、その封筒用シート３０の長手方向における長さが封筒本体片３の対応する辺長さ（本実施形態では短辺）を上限として適宜設定される。本実施形態では、個人情報シート片５０は、その長さが定形郵便の短辺長さよりも若干短く設定され、折目７０〜７２を介して３片連設されているが、その枚数は問わない。また、各個人情報シート片５０の長さは、本実施形態のように統一して同じ長さに揃えるようにしても良いし、あるいは個人情報シート片５０ごとに異なる長さに設定しても良い。
【００５２】
また、個人情報シート片５０は、図６に示すように、少なくともその表面側に、すなわち封筒用シート１における宛名情報欄６が設けられた面と同一面側に、名宛人特有の情報である個人情報を含む各種情報が記載される拡大個人情報欄５７が設けられている。この拡大個人情報欄５７は、各個人情報シート片５０ごとにあるいは隣接する一片ないし複数片の個人情報シート片５０に跨って設けられている。
【００５３】
この個人情報シート片５０は、図７に示すように、蛇腹状に折り畳まれた状態で、上記一対の封筒本体片３の間に折り込まれる。そして、この際に一対の封筒本体片３と複数片の個人情報シート片５０とにおけるお互いに重なり合う面の左右両端縁部を封筒形成用接着部９において接着して封筒が形成されるものとなされている。
また、この他の実施形態に係る封筒用シート３０には、折り畳み状態で一対の封筒本体片３のうち個人情報シート片５０が連設された一方の封筒本体片３からの吸引力を、上記各個人情報シート片５０、少なくとも封緘片４側の封筒本体片３に当接する個人情報シート片５０に伝達するための一個ないし複数個の吸気小孔５５が設けられている。すなわち、一対の封筒本体片３のうち、個人情報シート片５０が連設された封筒本体片３には、封入封緘機にセットされた場合に、吸いだこが配置される所定位置に多数の微小径の吸気小孔５５が設けられていると共に、折り畳み状態で封緘片４が連設された封筒本体片３の内面に当接する個人情報シート片５０を除く複数の個人情報シート片５０には、折り畳み状態で封筒本体片３ａに設けられた吸気小孔５５に連通する多数の微小径の吸気小孔７が設けられている。これらの吸気小孔５５は、上記封筒用シート１により形成された封筒２に別個独立の内封物を封入する場合に、上記吸いだこによる吸引力を、他方の封筒本体片３に当接する個人情報シート片５０に伝達するためのものである。
この吸気小孔５５により別個独立の内封物を封入する場合に封筒２の開口を、個人情報シート片５０をこの個人情報シート片５０が連設された一方の封筒本体片３側に偏位させた状態で拡開することができ、別個独立の内封物を容易に封入することができる。
【００５４】
また、上記実施形態では、封筒用シート１として、その封筒形成用接着部９、封緘用接着部１０及び宛名情報保持用接着部８に予め接着剤が塗布されているものを用いたが、各接着部ないし一部の接着部には予め接着剤が塗布されていなくても良く、例えば封筒形成工程において接着剤が塗布されるものであってもよい。ただ、各接着部に予め接着剤を塗布しておけば、簡易且つ迅速に封筒を形成することができる点で有利である。
【００５５】
さらに、上記実施形態では、封筒形成用接着部９、封緘用接着部１０及び宛名情報保持用接着部８に塗布される接着剤として、上記各接着部同士が互いに重ね合わされた状態で加圧することによりはじめて接着することができる感圧接着剤を用いたが、接着剤としてその他の公知の接着剤、例えば再湿接着剤等を用いるものであってもよい。ただし、本実施形態のように接着剤として各接着部同士が互いに重ね合わされた状態で加圧することによりはじめて接着することができる感圧接着剤を用いれば、例えばこの封筒用シートにより形成される封筒にこの封筒用シートとは別の内封物を封入しない場合には、加圧するという一工程で封筒を形成することができ、作業効率が向上し、しかも例えば封筒内に内封物を封入する場合には、封緘片を封筒本体片に重ね合わせない状態で加圧することにより、封緘用接着部に支障を来すことなく封緘片側に開口した封筒を形成することができ、この開口から別個独立の内封物を封筒内に挿入することができ、使用勝手が向上する点で好ましい。
【００５６】
さらに、上記実施形態では、封筒形成用接着部９、封緘用接着部１０及び宛名情報保持用接着部８の全ての接着部に感圧接着剤が塗布されているが、各接着部において異なる接着剤を塗布してもよい。ただし、本実施形態のように全ての接着部について同一の接着剤を塗布することにより、一連の塗布作業で簡易にこの封筒用シートを作製することができる点で好ましい。
【００５７】
また、上記実施形態では、封筒形成用接着部９が連続的に設けられたものについて説明したが、封筒形成用接着部９が断続的に設けられているものであっても良い。この封筒形成用接着部が断続的に設けられる場合には、封筒形成用接着部が相互に不連続の複数の単位接着部からなり、これらの単位接着部が長さ方向に微小間隔をあけて設けられている場合や、これらの単位接着部が長さ方向に一部重複するような状態で千鳥状に配設されている場合等も含まれる。
【００５８】
【発明の効果】
以上のように、本発明に係る封筒形成用シートは、一定幅の一枚のシートからなり、長さ方向に折り畳み、所定箇所を接着することによって封筒が形成される封筒用シートであって、折目を介して連設された一対の封筒本体片と、この一対の封筒本体片の一端部に折目を介して連設された封緘片と、この封緘片における上記一対の封筒本体片側と反対側の一端部に折目を介して連設された宛名情報片とを備え、上記一対の封筒本体片は、折り畳み状態における内面に名宛人特有の情報である個人情報が記載される個人情報欄が設けられる一方、上記宛名情報片は、上記一対の封筒本体片における個人情報欄が設けられた面と同一側の面に、宛名や宛先等の宛名情報が記載される宛名情報欄が設けられ、上記一対の封筒本体片を二つ折り状に折り曲げかつ互いに重なり合う面の左右両端縁部を接着して封筒が構成される一方、上記封緘片を上記封筒本体片に向けて折り曲げかつ互いに重なり合う面を接着して上記封筒の開口部が封緘されると共に、上記宛名情報片を封緘片側に折り返しかつこの封緘片に接着して宛名情報欄が封筒表面に表示されるように構成されていることを特徴とするので、封筒を構成する封筒本体片を有効に活用して個人情報を記載することができ、比較的少ない量の個人情報を記載する場合に最適に用いることができ、また宛名情報と個人情報とを封筒用シートの同一面に印字することができて宛名情報と個人情報とを安価な片面プリンター等により一連の工程として印字することができる。しかも、この個人情報欄と同一面に記載された宛名情報を封筒の表面に明確に表示することができ、これにより宛名情報と個人情報とを一致させて誤送付を確実に防止することができる。すなわち、この発明の封筒用シートによれば、新たな経済負担を強いることなく、誤送付を確実に防止することができる。
【００５９】
さらに、誤送付を防止するために、従来の封筒に採用されていたフィルムを貼る必要がないので、この封筒用シートにより形成された封筒を開封した後は、リサイクルが容易となり、資源の有効活用を図ることができる。
【００６０】
また、上記一対の封筒本体片における上記封緘片側と反対側の一端部に折目を介して連設された一片ないし複数片の個人情報シート片を連設し、この個人情報シート片に拡大個人情報欄を設ければ、比較的多くの個人情報を記載することができる。
【図面の簡単な説明】
【図１】本実施形態に係る封筒用シート示す平面図である。
【図２】同封筒用シートを示す背面図である。
【図３】本実施形態に係る封筒用シートにより形成され封筒を示す平面図である。
【図４】図３におけるＩＶ−ＩＶ線断面図である。
【図５】図３におけるＶ−Ｖ線断面図である。
【図６】他の実施形態に係る封筒用シートを示す平面図である。
【図７】他の実施形態に係る封筒用シートにより形成された封筒の縦断面図である。
【符号の説明】
１　封筒用シート
２　封筒
３　封筒本体片
４　封緘片
５　宛名情報片
６　宛名情報欄
７　個人情報欄
８　宛名情報保持用接着部
９　封筒形成用接着部
１０　封緘用接着部
【図１】
2004130608.tif 000003
【図２】
2004130608.tif 000004
【図３】
2004130608.tif 000005
【図４】
2004130608.tif 000006
【図５】
2004130608.tif 000007
【図６】
2004130608.tif 000008
【図７】
2004130608.tif 000009